(57)【要約】【課題】自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機において、オペ操作ジョブ完了の音声通知のタイミングを複合機の使用状況に応じて適切に調整することができるようにする。【解決手段】複合機が前記オペ操作ジョブを実行している期間に前記リモートジョブが完了したならば、前記オペ操作ジョブに関連した所定の一連の処理が完了してから前記リモートジョブの完了を音声通知する【選択図】図３
2019129397.tif 000002
【特許請求の範囲】
【請求項１】
自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機であって、
前記複合機が前記オペ操作ジョブを実行している期間に前記リモートジョブが完了したならば、前記オペ操作ジョブに関連した所定の一連の処理が完了してから前記リモートジョブの完了を音声通知することを特徴とする複合機。
【請求項２】
自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機であって、
前記複合機がオペ操作ジョブを実行している期間にリモートジョブが完了したならば、前記オペ操作ジョブの操作者と前記リモートジョブの要求者を比較し、両者が同一であれば、前記リモートジョブの完了を直ちに音声通知し、そうでなければ、前記オペ操作ジョブに関連した所定の一連の処理が完了してから前記リモートジョブ完了を音声通知することを特徴とする複合機。
【請求項３】
請求項１又は２に記載の複合機であって、
オペ操作ジョブの実行時間が一定時間以上であれば、前記オペ操作ジョブに関連した所定の一連の処理の完了時に該オペ操作ジョブに関連した所定の一連の処理の完了を音声通知することを特徴とする複合機。
【請求項４】
請求項３に記載の複合機であって、
オペ操作ジョブに関連した所定の一連の処理の完了の音声通知の要求を外部装置から受けたならば、前記オペ操作ジョブに関連した所定の一連の処理の完了時に該オペ操作ジョブに関連した所定の一連の処理の完了を音声通知することを特徴とする複合機。
【請求項５】
請求項１又は２に記載の複合機であって、
オペ操作ジョブに関連した所定の一連の処理の完了の音声通知の要求を外部装置から受けたならば、前記オペ操作ジョブに関連した所定の一連の処理の完了時に該オペ操作ジョブに関連した所定の一連の処理の完了を音声通知することを特徴とする複合機。
【請求項６】
自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機であって、
前記オペ操作ジョブの実行時間が一定時間以上であれば、前記オペ操作ジョブに関連した所定の一連の処理の完了時に該オペ操作ジョブに関連した所定の一連の処理の完了を音声通知することを特徴とする複合機。
【請求項７】
請求項６に記載の複合機であって、
オペ操作ジョブに関連した所定の一連の処理の完了の音声通知の要求を外部装置から受けたならば、前記オペ操作ジョブに関連した所定の一連の処理の完了時に該オペ操作ジョブに関連した所定の一連の処理の完了を音声通知することを特徴とする複合機。
【請求項８】
自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機であって、
オペ操作ジョブに関連した所定の一連の処理の完了の音声通知の要求を外部装置から受けたならば、前記オペ操作ジョブに関連した所定の一連の処理の完了時に該オペ操作ジョブに関連した所定の一連の処理の完了を音声通知することを特徴とする複合機。
【請求項９】
自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機のためのジョブ完了通知方法であって、
前記複合機がオペ操作ジョブを実行している期間にリモートジョブが完了したならば、前記オペ操作ジョブに関連した所定の一連の処理が完了してから前記リモートジョブの完了を音声通知することを特徴とするジョブ完了通知方法。
【請求項１０】
自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機のためのジョブ完了通知方法であって、
前記複合機がオペ操作ジョブを実行している期間にリモートジョブが完了したならば、前記オペ操作ジョブの操作者と前記リモートジョブの要求者を比較し、両者が同一であれば、前記リモートジョブの完了を直ちに音声通知し、そうでなければ、前記オペ操作ジョブに関連した所定の一連の処理が完了してから前記リモートジョブ完了を音声通知することを特徴とするジョブ完了通知方法。
【請求項１１】
自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機のためのジョブ完了通知方法であって、
オペ操作ジョブの実行時間が一定時間以上であれば、前記オペ操作ジョブに関連した所定の一連の処理の完了時に該オペ操作ジョブに関連した所定の一連の処理の完了を音声通知することを特徴とするジョブ完了通知方法。
【請求項１２】
自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機のためのジョブ完了通知方法であって、
オペ操作ジョブに関連した所定の一連の処理の完了の音声通知の要求を外部装置から受けたならば、前記オペ操作ジョブに関連した所定の一連の処理の完了時に該オペ操作ジョブに関連した所定の一連の処理の完了を音声通知することを特徴とするジョブ完了通知方法。
【請求項１３】
コンピュータを請求項１乃至８の何れか１項に記載の複合機として機能させることを特徴とするプログラム。
【発明の詳細な説明】
【技術分野】
【０００１】
本発明は、ジョブ完了通知装置、及びそれを含む複合機並びにジョブ完了通知方法に関する。
【背景技術】
【０００２】
複合機が実行するジョブには、オペ操作ジョブとリモートジョブの２種類のジョブが含まれる。
【０００３】
オペ操作ジョブとは、複合機に設けられているユーザインターフェースに含まれる操作部に対してオペレータである利用者が入力した内容に従って行うジョブのことである。端的にいえば、オペ操作ジョブとは、複合機に対するオペレータによる入力に従って行うジョブのことである。例えば、ユーザインターフェースが表示しているコピー用のボタンを利用者が押すことにより行われるコピーはオペ操作ジョブである。また、ユーザインターフェースが表示しているファクシミリ送信用のボタンを利用者が押すことにより行われるファクシミリ送信はオペ操作ジョブである。
【０００４】
また、リモートジョブとは、複合機にネットワークを通して接続されている外部装置からのジョブ要求に従って行うジョブのことである。例えば、複合機にネットワークを通して接続されているパーソナルコンピュータからの印刷ジョブ要求に従って行う印刷は、リモートジョブである。また、複合機にネットワークを通して接続されているパーソナルコンピュータからのファクシミリ送信ジョブ要求に従って行うファクシミリ送信は、リモートジョブである。
【０００５】
ところで、従来よりネットワークにより接続されたパーソナルコンピュータなどの外部装置からの要求に従って印刷などのリモートジョブを実行し、そのリモートジョブが完了したならば、完了の通知を音声により行う複合機がある。
【先行技術文献】
【特許文献】
【０００６】
【特許文献１】特開２０１１−１８０４８１号公報
【発明の概要】
【発明が解決しようとする課題】
【０００７】
しかし、このような複合機には次のような課題があった。
【０００８】
＜課題１＞
通常は印刷済の用紙の排出が完了した時点で直ちに「印刷完了」を音声により通知するため、リモート印刷ジョブを要求したユーザとは別のユーザがコピーやスキャンなどのオペ操作ジョブを複合機に実行させるためにパネル操作をしている最中であっても、排紙完了したならば直ちに音声により「印刷完了」を通知する。この場合、パネル操作をしている最中のユーザにとっては不要な音声通知であり、また、リモート印刷ジョブにより複合機に印刷を実行させたユーザにとってはパネル操作中のユーザが邪魔となり、印刷済みの用紙を排紙スタッカなどから取り出せない場合がある。
【０００９】
図１は、上記＜課題１＞の音声通知タイミングの例である。
【００１０】
オペ操作ジョブのためにユーザＡが複合機をパネル操作している期間に、ユーザＢが複合機に対してリモートジョブを実行させる場合、ユーザＢのリモートジョブでの排紙が完了したタイミングで、複合機は印刷完了の音声通知を行っていた。そのため、ユーザＡがパネルを操作中であっても、ユーザＢに対する音声通知が行われる。
【００１１】
＜課題２＞
通常、オペ操作ジョブに関連した所定の一連の処理の完了時には音声通知を行わない。複合機の操作パネルを直接操作することにより複合機にコピーやスキャンなどのオペ操作ジョブを実行させたいが現在のところ別のユーザが複合機の操作パネルを直接操作してオペ操作ジョブを実行させている場合は、現在実行中のオペ操作ジョブに関連した所定の一連の処理の完了を待つ必要がある。あるいは、そのオペ操作ジョブに関連した操作の終了を待つ必要がある。通常は前者のユーザは、目視により複合機の空き状況を確認している。
【００１２】
なお、特許文献１には、人感センサーによりユーザ位置を検知して、音声ガイダンスや音量を制御する発明が開示されているが、上記の課題を解決することができない。
【００１３】
本発明は、オペ操作ジョブ完了の音声通知のタイミングを複合機の使用状況に応じて適切に調整することができる複合機及びジョブ完了通知方法を提供することを目的とする。
【課題を解決するための手段】
【００１４】
本発明によれば、自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機であって、
前記複合機が前記オペ操作ジョブを実行している期間に前記リモートジョブが完了したならば、前記オペ操作ジョブに関連した所定の一連の処理が完了してから前記リモートジョブの完了を音声通知することを特徴とする複合機が提供される。
【００１５】
また、本発明によれば、自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機であって、
前記複合機がオペ操作ジョブを実行している期間にリモートジョブが完了したならば、前記オペ操作ジョブの操作者と前記リモートジョブの要求者を比較し、両者が同一であれば、前記リモートジョブの完了を直ちに音声通知し、そうでなければ、前記オペ操作ジョブに関連した所定の一連の処理が完了してから前記リモートジョブ完了を音声通知することを特徴とする複合機が提供される。
【００１６】
更に、本発明によれば、自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機であって、
前記オペ操作ジョブの実行時間が一定時間以上であれば、前記オペ操作ジョブに関連した所定の一連の処理の完了時に該オペ操作ジョブに関連した所定の一連の処理の完了を音声通知することを特徴とする複合機が提供される。
【００１７】
更に、本発明によれば、自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機であって、
オペ操作ジョブに関連した所定の一連の処理の完了の音声通知の要求を外部装置から受けたならば、前記オペ操作ジョブに関連した所定の一連の処理の完了時に該オペ操作ジョブに関連した所定の一連の処理の完了を音声通知することを特徴とする複合機が提供される。
【００１８】
更に、本発明によれば、自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機のためのジョブ完了通知方法であって、
前記複合機がオペ操作ジョブを実行している期間にリモートジョブが完了したならば、前記オペ操作ジョブに関連した所定の一連の処理が完了してから前記リモートジョブの完了を音声通知することを特徴とするジョブ完了通知方法が提供される。
【００１９】
更に、本発明によれば、自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機のためのジョブ完了通知方法であって、
前記複合機がオペ操作ジョブを実行している期間にリモートジョブが完了したならば、前記オペ操作ジョブの操作者と前記リモートジョブの要求者を比較し、両者が同一であれば、前記リモートジョブの完了を直ちに音声通知し、そうでなければ、前記オペ操作ジョブに関連した所定の一連の処理が完了してから前記リモートジョブ完了を音声通知することを特徴とするジョブ完了通知方法が提供される。
【００２０】
更に、本発明によれば、自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機のためのジョブ完了通知方法であって、
オペ操作ジョブの実行時間が一定時間以上であれば、前記オペ操作ジョブに関連した所定の一連の処理の完了時に該オペ操作ジョブに関連した所定の一連の処理の完了を音声通知することを特徴とするジョブ完了通知方法が提供される。
【００２１】
更に、本発明によれば、自複合機に対するオペレータによる入力に従って行うジョブであるオペ操作ジョブと、自複合機にネットワークを通して接続されている外部装置からのジョブ要求に従って行うジョブであるリモートジョブを実行することが可能な複合機のためのジョブ完了通知方法であって、
オペ操作ジョブに関連した所定の一連の処理の完了の音声通知の要求を外部装置から受けたならば、前記オペ操作ジョブに関連した所定の一連の処理の完了時に該オペ操作ジョブに関連した所定の一連の処理の完了を音声通知することを特徴とするジョブ完了通知方法が提供される。
【００２２】
更に、本発明によれば、コンピュータを上記の複合機として機能させることを特徴とするプログラムが提供される。
【発明の効果】
【００２３】
本発明によれば、オペ操作ジョブ完了の音声通知のタイミングを複合機の使用状況に応じて適切に調整することができる。
【図面の簡単な説明】
【００２４】
【図１】従来例による音声通知タイミングを示す概念図である。
【図２】本発明の実施の形態による印刷システムの概略制御ブロック図である。
【図３】本発明の実施の形態による音声通知タイミングを示す概念図である。
【図４】本発明の実施の形態による使用状況通知要求による音声通知を示す概念図である。
【図５】本発明の実施の形態による複合機操作処理を示すフローチャートである。
【図６】本発明の実施の形態によるリモートジョブ実行処理を示すフローチャートである。
【図７】本発明の実施の形態による使用状況通知要求処理を示すフローチャートである。
【図８】本発明の実施の形態による複合機の概念的断面図である。
【発明を実施するための形態】
【００２５】
以下、図面を参照して本発明を実施するための形態について詳細に説明する。
【００２６】
本実施形態によれば、音声通知可能な複合機において、パネル操作中のユーザがいる場合は原則として音声通知を行わない。そして、操作終了後に印刷完了の音声通知を行う。
【００２７】
また、上記＜課題１＞を解決するため、複合機を操作中のユーザがいる場合は、リモートジョブに対する音声通知を行わないようにする。また、ユーザの操作終了後まで、リモートジョブの音声通知を遅延させる。
【００２８】
更に、ユーザ認証している場合は、操作中のユーザのジョブであれば直ちに音声通知し、操作中のユーザのジョブでなければ音声通知を遅延させる。
【００２９】
これにより、リモートジョブを要求したユーザとは別のユーザが複合機を操作している期間は、不要な音声通知を回避することができる。
【００３０】
上記＜課題２＞を解決するため、リモートジョブ以外の場合でも、常時、または操作時間が長い場合、またはパーソナルコンピュータなどの外部装置から複合機に対して音声通知要求を行った場合、複合機の操作終了後に複合機の空きを音声通知する。
【００３１】
これにより、ユーザが複合機を使用したいときに、目視以外でも複合機の操作状況を知ることが可能となる。
【００３２】
［第１の実施の形態］
図２は、本発明の実施形態による印刷システムの構成例を示す図である。印刷システムは、複合機などの画像処理装置１０１とこれにネットワーク１３１により接続されたパーソナルコンピュータなどの外部装置１３５を含む。図２の例では、外部装置１３５を１つのみ描いているが、複数の外部装置１３５が画像処理装置１０１に接続されていてもよい。
【００３３】
画像処理装置１０１は、Ｉ／Ｏ部１１１、音声制御部１１３、画像生成部１１５、エンジン制御部１１７、ジョブ制御部１１９、メモリ管理部１２１、ＵＩ制御部１２３を備える。
【００３４】
Ｉ／Ｏ部１１１は、ネットワーク１３１、ＵＳＢ１３３（図示せず。）等を経由してパーソナルコンピュータなどの外部装置１３５との通信を行う。
【００３５】
音声制御部１１３は、音声通知タイミングの判定、音声通知を行う。
【００３６】
画像生成部１１５は、ジョブに含まれる印刷情報を解析し、ジョブの種別、部数指定、用紙サイズ、用紙タイプ、トレイ指定など、印刷に必要なデータの解析を行い、印刷に使用する画像データを生成する。
【００３７】
エンジン制御部１１７は、画像データを印刷するエンジンの駆動制御を行う。
【００３８】
ジョブ制御部１１９は、ジョブの受信から印刷完了までのジョブの管理を行う。
【００３９】
メモリ管理部１２１は、ハードディスクやメモリ等の記憶装置で構成され、画像データやジョブ情報など印刷に必要な印刷データを記憶し、ワーク領域を含む記憶容量の管理を行う。
【００４０】
ＵＩ制御部１２３は、ＵＩであるタッチパネルなどの操作パネル上のメッセージ表示や操作を制御する。
【００４１】
画像処理装置１０１は、ネットワーク１３１に接続されたパーソナルコンピュータなどの外部装置１３５からの要求に従ってリモートジョブを実行する。また、画像処理装置１０１は、ＵＩ制御部１２３により制御される操作パネルなどに対する利用者による操作に従ってオペ操作ジョブを実行する。
【００４２】
図３は、上記＜課題１＞を解決するための本実施形態における音声通知タイミングの例である。
【００４３】
ユーザＡが複合機を操作することにより複合機がコピーやスキャンなどのオペ操作ジョブを実行している期間が開始する前又は開始してから、ユーザＢからの要求に従って複合機がリモートジョブをその期間の少なくとも一部に重複するように実行する場合、オペ操作ジョブが終了する前にリモートジョブが完了したならば、ユーザＢのリモートジョブの完了のタイミングでは音声通知を行わず、ユーザＡのオペ操作ジョブに関連した所定の一連の処理の完了のタイミングでユーザＢに対する音声通知を行う。
【００４４】
なお、ユーザＡのオペ操作ジョブに関連した所定の一連の処理の完了のタイミングの代わりに、ユーザＡによる操作が終了したタイミング、ユーザＡがログオフしたタイミング又はユーザＡを人感センサにより検出しなくなったタイミングで、ユーザＢに対する音声通知を行うようにしてもよい。ユーザＡのオペ操作ジョブに関連した所定の一連の処理の完了のタイミングとは、例えば、コピーにより印刷された紙の排出の終了のタイミング、ファクシミリ送信のための所定の段階の終了のタイミングである。ユーザＡによる操作が終了したタイミングとは、例えば、コピーのための一連の操作が完了したタイミング、ファクシミリ送信のための送信ボタンの一連の操作が完了したタイミング、スキャンのための一連の操作が完了したタイミングである。これらのオペ操作ジョブに関連した所定の一連の処理が完了したタイミングでユーザＢに対する音声通知を行えばよい。以下でも、「ユーザのオペ操作ジョブに関連した所定の一連の処理の完了のタイミング」といったときには、「ユーザのオペ操作ジョブに関連した所定の一連の処理が完了したタイミング」も含むものとする。
【００４５】
ユーザ認証機能を有効している場合は、ユーザＡとユーザＢが同一ユーザであるのかどうかも判定が可能であるため、同一ユーザであると判定した場合は、音声通知の遅延は行わずに操作中であっても完了通知を行う。例えば、ユーザが１００枚スキャン実行途中に、パーソナルコンピュータから別の印刷ジョブを実行した時のように、同一ユーザがオペ操作ジョブとリモートジョブを並行して実行するようなケースである。
【００４６】
図４は、＜課題２＞を解決するための本実施形態における音声通知タイミングの例である。
【００４７】
ユーザＡが複合機を操作することにより複合機がコピーやスキャンなどのオペ操作ジョブを実行している期間に、ユーザＢが複合機に対して複合機使用状況通知要求を行った場合、ユーザＡのオペ操作ジョブに関連した所定の一連の処理の完了ｈのタイミングでユーザＢに対する音声通知を行う。
【００４８】
なお、ユーザＡのオペ操作ジョブに関連した所定の一連の処理の完了のタイミングの代わりに、ユーザＡによる操作が終了したタイミング、ユーザＡがログオフしたタイミング又はユーザＡを人感センサにより検出しなくなったタイミングで、ユーザＢに対する音声通知を行うようにしてもよい。ユーザＡのオペ操作ジョブに関連した所定の一連の処理の完了のタイミングの例、ユーザＡによる操作が終了したタイミングの例は上述した通りである。
【００４９】
また、ユーザが通知要求した場合だけではなく、例えば一定時間以上複合機操作を継続し続けたケースは他のユーザが複合機使用可能になるのを待っている可能性高くなるため、要求が無くても使用可能になったことを音声通知する。
【００５０】
図５は、複合機操作時の処理を示すフローチャートである。
【００５１】
ユーザがパネル操作を開始したら、操作時間のカウントをゼロから開始する（Ｓ５０１）。複合機がユーザ認証ＯＮで動作していた場合（Ｓ５０２のＹＥＳ）、ログインしたユーザのマシン操作中フラグをＯＮにして複合機操作中であることを記憶する（Ｓ５０３）。複合機がユーザ認証ＯＦＦで動作していた場合（Ｓ５０２のＮＯ）、マシン全体に対するマシン操作中フラグをＯＮにして複合機操作中であることを記憶する（Ｓ５０４）。
【００５２】
ジョブを実行する（Ｓ５０５）。ジョブ実行中はマシン操作中フラグがＯＮになっている。何もせずに完了する場合も同様である。
【００５３】
完了後、複合機がユーザ認証ＯＮで動作していた場合（Ｓ５０６のＹＥＳ）、ログインしたユーザのマシン操作中フラグをＯＦＦにして複合機操作終了を記憶する（Ｓ５０７）。複合機がユーザ認証ＯＦＦで動作していた場合（Ｓ５０６のＮＯ）、マシン全体に対するマシン操作中フラグをＯＦＦにして複合機操作終了を記憶する（Ｓ５０８）。
【００５４】
マシン操作時間のカウントを終了する（Ｓ５０９）。操作終了後、カウントにより、一定時間以上使用を継続していたと判断できた場合（Ｓ５１０のＹＥＳ）、複合機が使用可能であることを音声通知する（Ｓ５１１）。一定時間未満しか使用を継続していなかったことが判断できた場合（Ｓ５１０のＮＯ）、音声通知せずに終了する。この一定時間はユーザが任意に設定可能とする。
【００５５】
一定時間以上使用した場合にのみ通知をするのは、時間が経過するほど空きを知りたい者が多い可能性が高くなるからである。
【００５６】
図６は、リモートジョブの完了の音声通知に関するフローチャートである。
【００５７】
複合機はリモートジョブの要求を受信して、リモートジョブを実行する（Ｓ６０１）。
【００５８】
リモートジョブの完了後、複合機がユーザ認証ＯＮで動作していた場合（Ｓ６０２のＹＥＳ）、そのユーザのマシン操作中フラグをチェックして、ＯＦＦであれば（Ｓ６０３のＮＯ）、そのままジョブ完了の音声通知を行う（Ｓ６０６）。そのユーザのマシン操作中フラグがＯＮであれば（Ｓ６０３のＹＥＳ）、操作中のユーザとリモートジョブのユーザが同一ユーザであるかをチェックする（Ｓ６０４）。同一ユーザが使用中であれば（Ｓ６０４のＹＥＳ）、ジョブ完了の音声通知を行い（Ｓ６０６）、同一ユーザでなければ、そのユーザの操作中フラグがＯＦＦになるのを待ち（Ｓ６０４のＮＯ）、ＯＦＦになったら（Ｓ６０３のＮＯ）ジョブ完了の音声通知を行う（Ｓ６０６）。
【００５９】
複合機がユーザ認証ＯＦＦで動作していた場合（Ｓ６０２のＮＯ）、マシン全体に対するマシン操作中フラグをチェックして、ＯＦＦであれば（Ｓ６０５のＮＯ）、そのままジョブ完了の音声通知を行う（Ｓ６０６）。フラグがＯＮであれば（Ｓ６０５のＹＥＳ）、操作中フラグがＯＦＦになるのを待ち（Ｓ６０５のＹＥＳ）、ＯＦＦになったら（Ｓ６０５のＮＯ）、ジョブ完了の音声通知を行う（Ｓ６０６）。
【００６０】
図７は、複合機に対する使用状況通知要求に応じたオペ操作ジョブに関連した所定の一連の処理の完了の音声通知に関するフローチャートである。
【００６１】
複合機に対して使用状況通知要求を受信したとき、複合機がユーザ認証ＯＮで動作していた場合（Ｓ７０１のＹＥＳ）、ユーザのマシン操作中フラグをチェックして、ユーザのマシン操作中フラグがＯＮになっているユーザが存在するかどうかをチェックする（Ｓ７０２）。ユーザのマシン操作中フラグがＯＮのユーザがいない場合（Ｓ７０２のＮＯ）、複合機が使用可能であることを音声通知する（Ｓ７０４）。ユーザのマシン操作中フラグがＯＮのユーザがいる場合（Ｓ７０２のＹＥＳ）、ユーザのマシン操作中フラグがＯＦＦになるのを待って（Ｓ７０２のＮＯ）、その後、複合機が使用可能であることを音声通知する（Ｓ７０４）。
【００６２】
複合機がユーザ認証ＯＦＦで動作していた場合（Ｓ７０１のＮＯ）、マシン全体に対するマシン操作中フラグをチェックして、ＯＦＦであれば（Ｓ７０３のＮＯ）、複合機が使用可能であることを音声通知する（Ｓ７０４）。マシン全体に対するマシン操作中フラグがＯＮであれば（Ｓ７０３のＹＥＳ）、マシン全体に対するマシン操作中フラグがＯＦＦになるのを待ち（Ｓ７０３のＹＥＳ）、ＯＦＦになったら（Ｓ７０３のＮＯ）複合機が使用可能であることを音声通知する（Ｓ７０４）。
【００６３】
なお、オペ操作ジョブをリモートジョブ以外のジョブの代表例としてあげたが、オペ操作ジョブでもリモートジョブでもないジョブとみることができるジョブもオペ操作ジョブと同様にして扱ってもよい。
【００６４】
図５乃至図７を参照して説明した方法は、図２に示す画像処理装置１０１の内部で行われる。特に、音声制御部１１３が、他の部分と通信を行いながらその方法を実行する。画像処理装置１０１に含まれる部分のうち上記の方法に関連したことを行う部分によりジョブ完了通知装置が構成される。
【００６５】
図８は、画像形成装置Ａの構成を示す縦断面図である。図８に示すように、画像読取装置（画像読取部）１は、透明ガラスからなる原稿載置台１１、原稿を自動的に供給しながら原稿画像を読取らせるための両面対応自動原稿送り装置（ＲＡＤＦ）１２、原稿載置台１１上に載置された原稿の画像を走査して読み取るための原稿読取装置、すなわち原稿スキャナユニット１３から構成されている。
【００６６】
前記ＲＡＤＦ１２は、所定の原稿トレイ上に複数枚の原稿を一度にセットしておき、セットされた原稿を１枚ずつ自動的に前記スキャナユニット１３の原稿載置台１１上の自動送り原稿の読取部へ送給する公知の装置である。そして、ＲＡＤＦ１２は、使用者の選択に応じて原稿の片面または両面をスキャナユニット１３に読み取らせるように、片面原稿のための搬送経路、両面原稿のための搬送経路、搬送経路切り換え手段などから構成されている。このＲＡＤＦ１２を用いて原稿画像の読取を行わせる場合は、原稿スキャナユニット１３を構成する第１走査ユニット１５および第２走査ユニット１６（いずれも、後記する）は、原稿載置台１１上の一側部に設けられた自動送り原稿の読取部に静止され、この自動送り原稿の読取部を通過する原稿の画像が逐次読取られる。図８は、第１走査ユニット１５および第２走査ユニット１６が、自動送り原稿の読取部に静止している状態を示している。ＲＡＤＦ１２は、原稿載置台１１の上に開閉自在に設置された原稿カバー１４に一体もしくは別体に設けられている。原稿カバー１４は、原稿載置台１１の上に置かれた原稿を押付けその浮き上がりを防止するべく使用され、その上面は自動送りされる原稿の排出トレイ１４０とされている。
【００６７】
前記スキャナユニット１３は、原稿面上を露光するランプリフレクタアセンブリと、原稿からの反射光像を電気的画像信号に変換する画像検出手段としての光電変換素子（たとえば、電荷結合素子（ＣＣＤ）または密着型イメージセンサ（ＣＩＳ））１８に導くための第１反射ミラーを搭載した第１走査ユニット１５および第２、第３反射ミラーを搭載した第２走査ユニット１６、反射光像を光電変換素子１８上に結像するための光学レンズ体１７から構成される。第１走査ユニット１５は、後記する原稿照射用光源７を搭載し、原稿載置台１１に沿って図８の左から右へ一定速度Ｖで走行し、第２走査ユニット１６は１／２Ｖの速度で同一方向に走行するように走査制御される。これにより、画像読取部１では、原稿載置台１１上に読み取るべき原稿を順次載置させながら、原稿載置台１１の下面に沿ってスキャナユニット１３を移動させ、原稿載置台１１上に載置された原稿の画像を１ライン毎に順次光電変換素子１８に結像させて、原稿画像を読み取る。
【００６８】
原稿画像をスキャナユニット１３で読み取ることにより得られた画像データは、各種処理が施された後、メモリに一旦記憶され、出力指示に応じてメモリから画像データを画像記録部２に出力して、感光体ドラム２２上に可視画像として再現した後、用紙（記録媒体）上に画像を転写してトナー像を形成する。この画像記録部２は、レーザ書き込みユニット（ＬＳＵ）２１および画像を形成するための電子写真プロセス部２０を備えている。レーザ書き込みユニット２１は、メモリから読み出した画像データまたはパーソナルコンピュータ等の外部機器から転送されてきた画像データに応じてレーザ光を出射する半導体レーザ、レーザ光を等角速度偏向するポリゴンミラー、等角速度偏向されたレーザ光が電子写真プロセス部２０の感光体ドラム２２上を等速度で走査するように補正するｆ−θレンズ等を有している。電子写真プロセス部２０は、周知の態様に従い、感光体ドラム２２の周囲に帯電装置２３、現像装置２４、転写装置２５、クリーニング装置２６を配置し、さらに感光体ドラム２２の下流側に定着装置２７を配置して構成される。
【００６９】
給紙部（記録媒体供給部）３は、多数枚の記録用紙をスタックし得る第１〜３カセット１２１＃１〜１２１＃３および手差しトレイ３５を有している。これら第１〜３カセット１２１＃１〜１２１＃３および手差しトレイ３５の給紙側前端部には、スタックされた用紙の最上層紙を１枚ずつ繰出すピックアップローラ３１＃１〜３１＃３、３１＃５が設置され、その給紙方向下流側に近接して給紙ローラ３２＃１〜３２＃３、３２＃５が、それぞれ設置されている。各給紙ローラ３２＃１〜３２＃３、３２＃５の給紙方向下流側は合流して給紙搬送部４を構成し、この給紙搬送部４には、搬送ローラ４１，４２，４３，４４およびレジストローラ４５が配設され、前記第１〜３カセット１２１＃１〜１２１＃３および手差しトレイ３５から繰出された用紙は、搬送ローラ４１，４２，４３のいずれかを経て、搬送ローラ４４からレジストローラ４５に至り、このレジストローラ４５によりレジストされて、感光体ドラム２２と転写装置２５との間の転写位置に搬送導入される。
【００７０】
なお、図８では、２点鎖線で示すように、第３カセット１２１＃３の下にオプションとして大容量カセット１２１＃４が、第４のカセットとして設置されており、前記給紙搬送部４はこの大容量カセット１２１＃４の給紙側にも連接され、大容量カセット１２１＃４から繰出された用紙は搬送ローラ４１によって、前記転写位置に向け搬送される。すなわち、この給紙部３における第１〜４カセット１２１＃１〜１２１＃４内の４つのトレイには、用紙がサイズ毎に積載されて収容されており、ユーザが所望するサイズの用紙が収容されているカセットあるいは前記手差しトレイ３５を選択すると、あるいは、記録される画像データのサイズ情報に基づき自動選択されると、選択されたトレイ内の用紙束の上から１枚ずつ繰出され、給紙搬送部４の搬送経路を経由して順次電子写真プロセス部２０へ向けて搬送される。給紙搬送部４の搬送経路は、前記転写位置を経て定着装置２７に通じ、定着装置２７の用紙搬送方向下流側には用紙排出路５が設けられている。
【００７１】
レーザ書き込みユニット２１および電子写真プロセス部２０において、メモリから読み出された画像データ、あるいは、パーソナルコンピュータ等の外部機器から転送されてきた画像データは、レーザ書き込みユニット２１によってレーザ光線を走査させることにより感光体ドラム２２の表面上に静電潜像として形成され、現像装置２４のトナーにより可視像化されたトナー像は給紙部３から給紙搬送された用紙の表面上に転写装置２５により静電転写され、定着装置２７によって定着される。このようにして画像が形成された用紙は、前記定着装置２７から前記用紙排出路５に設けられた搬送ローラ５１および正逆回転可能な排出ローラ５２を経て積載トレイ５０へ送られる。搬送ローラ５１と排出ローラ５２との間の用紙排出路５には切換えゲート５３が設けられ、この切換えゲート５３の設置部分を基点として、前記搬送ローラ４４の上流側で前記給紙搬送部４に合流する再給紙搬送部５４が連接されている。
【００７２】
画像が記録された用紙は、定着装置２７を経て搬送ローラ５１によりさらに上方に搬送され、切換えゲート５３を通過する。そして、用紙の搬送先が前記積載トレイ５０に設定されている場合は、排出ローラ５２の正回転により積載トレイ５０に排出される。一方、両面画像形成や後処理が指定されている場合には、一旦排出ローラ５２により積載トレイ５０に向けて用紙を排出する。なお、この場合には、用紙を完全に排出せず、排出ローラ５２を一旦停止させて用紙の後端を排出ローラ５２に狭持させ、その後排出ローラ５２を逆回転させる。これにより、用紙は逆方向、つまり両面画像形成や後処理の為に選択的に装着されている再給紙搬送部５４の方向に、反転搬送される。このとき、切換えゲート５３は、上向きから下向きに切換えられる。再給紙搬送部５４の途中には、後処理（ステープル、パンチングなど）のための切換えゲート５５が設けられており、後処理モードが選択されたときには、この切換えゲート５５の切換えにより、反転搬送された用紙は後処理部に送られ、ステープルやパンチング処理が施された後、後処理トレイ５６上に排出される。両面画像記録を行なう場合は、反転搬送された用紙は再給紙搬送部５４を通り、途中に配された搬送ローラ５７，５８，５９によって搬送され、再びレジストローラ４５を経て画像記録部２の前記転写位置に供給され、その裏面に対する画像記録がなされる。
【００７３】
なお、上記のジョブ完了通知装置は、ハードウェア、ソフトウェア又はこれらの組合わせにより実現することができる。また、上記のジョブ完了通知装置により行なわれるジョブ完了通知方法も、ハードウェア、ソフトウェア又はこれらに組合わせにより実現することができる。ここで、ソフトウェアによって実現されるとは、コンピュータがプログラムを読み込んで実行することにより実現されることを意味する。
【００７４】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７５】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００７６】
本発明は、ジョブ完了通知のタイミング制御に利用することができる。
【符号の説明】
【００７７】
１０１  画像処理装置
１１１  Ｉ／Ｏ部
１１３  音声制御部
１１５  画像生成部
１１７  エンジン制御部
１１９  ジョブ制御部
１２１  メモリ管理部
１２３  ＵＩ制御部
１３１  ネットワーク
１３５  外部装置
【図１】
2019129397.tif 000003
【図２】
2019129397.tif 000004
【図３】
2019129397.tif 000005
【図４】
2019129397.tif 000006
【図５】
2019129397.tif 000007
【図６】
2019129397.tif 000008
【図７】
2019129397.tif 000009
【図８】
2019129397.tif 000010